(57)【要約】      （修正有）【課題】環境の異なる状況で撮影された患者の歯の画像データであっても、患者の歯に対する審美治療の効果を時系列に提示することができる装置及びその方法を提供する。【解決手段】画像を補正する際に基準となる色を表示するための色基準部材１２０と一体に形成される撮影用開口器１００と、色を識別すべき患者の歯と患者に装着された撮影用開口器とを単一の画像内に写し込んだ画像データを取得するための撮影手段と、撮影手段により取得された画像データを患者の情報に関連付けて記憶するための補正前画像データ記憶手段と、記憶された画像データ内における色基準部材に対応する色彩情報データである色信号値と色基準部材の既定の色彩情報データである色信号値とに基づき記憶された画像データ全体の色補正するための画像データ補正手段と、色補正された画像データを時系列に並べた時系列表示画面として出力するための歯色の時系列出力手段とを含む。【選択図】図１
2010214055.tif 000002
【特許請求の範囲】
【請求項１】
患者の歯に対する審美治療の効果を時系列に提示する装置であって、前記装置は、
画像データを補正する際に基準となる色を表示するための色基準部材と一体に形成される撮影用開口器と、
色を識別すべき患者の歯と患者に装着された前記撮影用開口器とを単一の画像内に写し込んだ画像データを取得するための撮影手段と、
前記撮影手段により取得された画像データを前記患者の情報に関連付けて記憶するための補正前画像データ記憶手段と、
前記色基準部材の既定の色彩情報データである色信号値を記憶するための色彩情報データ記憶手段と、
前記記憶された画像データ内における色基準部材に対応する色彩情報データである色信号値と前記色基準部材の既定の色彩情報データである色信号値とに基づき前記記憶された画像データ全体の色補正をするための画像データ補正手段と、
前記色補正された画像データを時系列に並べた時系列表示画面として出力するための歯色の時系列出力手段と
を含む、装置。
【請求項２】
前記撮影用開口器において、
前記撮影用開口器を患者に装着した状態で撮影した場合に、少なくとも患者の歯と同時に単一画像内に写し込まれる位置に前記色基準部材が形成される、請求項１に記載の装置。
【請求項３】
前記撮影用開口器において、
前記色基準部材は、前記患者の左耳から右耳の範囲に形成される、請求項１または請求項２に記載の装置。
【請求項４】
前記撮影用開口器において、
前記色基準部材は、前記患者の鼻橋から顎の下端近傍の範囲に形成される、請求項１ないし請求項３のいずれかに記載の装置。
【請求項５】
前記撮影用開口器において、
前記色基準部材は、前記患者の前歯と略同一平面上に形成される、請求項１ないし請求項４のいずれかに記載の装置。
【請求項６】
前記撮影用開口器は、開口器本体部と前記色基準部材とから構成され、
前記開口器本体部は、
口唇の左内側に掛けるための左口角拡開部、口唇の右内側に掛けるための右口角拡開部ならびに口唇を開いて上下の歯を露出させることができるように前記左口角拡開部および前記右口角拡開部とを連結する連結部とから構成され、
前記色基準部材は、
前記左口角拡開部および前記右口角拡開部における口外側面に形成される、請求項１ないし請求項５のいずれかに記載の装置。
【請求項７】
前記歯色の時系列出力手段に出力された複数の前記色補正された画像データ内における患者の歯に該当する領域の色彩情報データである色信号値を特定する歯色の色彩情報データ特定手段と、
前記複数の色補正された画像データから選択された一の画像データ内における患者の歯に該当する領域の色彩情報データである色信号値と、前記選択された画像データ以外の色補正された画像データ内における患者の歯に該当する領域の色彩情報データである色信号値とに基づいて治療改善幅を算出する治療改善幅算出手段と
を含み、
前記歯色の時系列出力手段は、
前記時系列表示画面において、前記選択された画像データ以外の色補正された画像データと関連付けて治療改善幅を表示する機能を備える、請求項１ないし請求項６のいずれかに記載の装置。
【請求項８】
前記色彩情報データは、明度、色相および彩度の成分で表される色信号値である、請求項１ないし請求項７のいずれかに記載の装置。
【請求項９】
患者の歯に対する審美治療の効果を時系列に提示する方法であって、前記方法は、
色を識別すべき患者の歯と患者に装着された撮影用開口器に形成された画像を補正する際に基準となる色を表示するための色基準部材とを単一の画像内に写し込んだ画像データを前記患者の情報に関連付けて補正前画像データ記憶手段に記憶するステップと、
前記色基準部材の既定の色彩情報データである色信号値を色彩情報データ記憶手段に記憶するステップと、
前記記憶された画像データ内における色基準部材に対応する色彩情報データである色信号値と前記色基準部材の既定の色彩情報データである色信号値とに基づき前記記憶された画像データ全体の色補正を行うステップと、
前記色補正された画像データを時系列に並べた時系列表示画面として出力するステップとを含む、方法。
【請求項１０】
請求項９に記載の方法をコンピュータに実行させるための歯色を時系列表示するためのプログラム。
【請求項１１】
請求項９に記載の方法をコンピュータに実行させるための歯色を時系列表示するためのプログラムを記録したコンピュータ読み取り可能な記録媒体。
【発明の詳細な説明】
【技術分野】
【０００１】
この発明は、患者の歯に対する審美治療に利用される歯色の時系列表示装置及びその方法であって、特にたとえば、患者の歯色の画像データの時系列変化の表示を可能とした歯色の時系列表示装置及びその方法に関する。
【背景技術】
【０００２】
現在、歯科医療に対して、患者から高い審美性が求められており、患者の歯の審美治療が行われている。このような審美治療の効果を客観的に評価するために、従来は、分光光度計により計測された数値が用いられていた（例えば、特許文献１参照）。
【先行技術文献】
【特許文献】
【０００３】
【特許文献１】特開２００１−２７１００９号公報
【発明の概要】
【発明が解決しようとする課題】
【０００４】
しかしながら、分光光度計は高価であることから、多大なコストをかけて審美治療の効果についての評価を行っていた。
一方、患者に対して、歯の審美治療の効果について時系列の経過を提示するには、デジタルカメラ等により撮影された画像を提示することが考えられるが、撮影日が異なる画像データを比較する際、それぞれの撮影日によって患者の歯の撮影環境が異なれば、撮影された画像データにおける明度等が異なるため、それら画像データの客観的な比較が困難であった。
【０００５】
それゆえに、この発明の主たる目的は、環境の異なる状況で撮影された患者の歯の画像データであっても、患者の歯に対する審美治療の効果を時系列に視覚的に提示することができる装置を提供することである。
【課題を解決するための手段】
【０００６】
この発明にかかる歯色の時系列表示装置は、患者の歯に対する審美治療の効果を時系列に提示する装置であって、その装置が、画像データを補正する際に基準となる色を表示するための色基準部材と一体に形成される撮影用開口器と、色を識別すべき患者の歯と患者に装着された撮影用開口器とを単一の画像内に写し込んだ画像データを取得するための撮影手段と、撮影手段により取得された画像データを患者の情報に関連付けて記憶するための補正前画像データ記憶手段と、色基準部材の既定の色彩情報データである色信号値を記憶するための色彩情報データ記憶手段と、記憶された画像データ内における色基準部材に対応する色彩情報データである色信号値と色基準部材の既定の色彩情報データである色信号値とに基づき記憶された画像データ全体の色補正を行う画像データ補正手段と、色補正された画像データを時系列に並べた時系列表示画面として出力するための歯色の時系列出力手段とを含む、装置である。
また、この発明にかかる歯色の時系列表示装置では、撮影用開口器において、撮影用開口器を患者に装着した状態で撮影した場合に、少なくとも患者の歯と同時に単一画像内に写し込まれる位置に色基準部材が形成されることが好ましい。
また、この発明にかかる歯色の時系列表示装置では、撮影用開口器において、色基準部材は、患者の左耳から右耳の範囲に形成されることが好ましい。
また、この発明にかかる歯色の時系列表示装置では、撮影用開口器において、色基準部材は、患者の鼻橋から顎の下端近傍の範囲に形成されることが好ましい。
また、この発明にかかる歯色の時系列表示装置では、撮影用開口器において、色基準部材は、患者の前歯と略同一平面上に形成されることが好ましい。
また、この発明にかかる歯色の時系列表示装置では、撮影用開口器は、開口器本体部と色基準部材とから構成され、開口器本体部は、口唇の左内側に掛けるための左口角拡開部、口唇の右内側に掛けるための右口角拡開部ならびに口唇を開いて上下の歯を露出させることができるように左口角拡開部および右口角拡開部とを連結する連結部とから構成され、色基準部材は、左口角拡開部および右口角拡開部における口外側面に形成されることが好ましい。
また、この発明にかかる歯色の時系列表示装置では、歯色の時系列出力手段に出力された複数の色補正された画像データ内における患者の歯に該当する領域の色彩情報データである色信号値を特定する歯色の色彩情報データ特定手段と、複数の色補正された画像データから選択された一の画像データ内における患者の歯に該当する領域の色彩情報データである色信号値と、選択された画像データ以外の色補正された画像データ内における患者の歯に該当する領域の色彩情報データである色信号値とに基づいて治療改善幅を算出する治療改善幅算出手段とを含み、歯色の時系列出力手段は、時系列表示画面において、選択された画像データ以外の色補正された画像データと関連付けて治療改善幅を表示する機能を備えることが好ましい。
また、この発明にかかる歯色の時系列表示装置では、色彩情報データが、明度、色相および彩度の成分で現される色信号値であることが好ましい。
また、この発明にかかる歯色の時系列表示方法は、患者の歯に対する審美治療の効果を時系列に提示する方法であって、その方法が、色を識別すべき患者の歯と患者に装着された撮影用開口器に形成された画像を補正する際に基準となる色を表示するための色基準部材とを単一の画像内に写し込んだ画像データを患者の情報に関連付けて補正前画像データ記憶手段に記憶するステップと、色基準部材の既定の色彩情報データである色信号値を色彩情報データ記憶手段に記憶するステップと、記憶された画像データ内における色基準部材に対応する色彩情報データである色信号値と色基準部材の既定の色彩情報データである色信号値とに基づき画像データ全体の色補正を行うステップと、色補正された画像データを時系列に並べた時系列表示画面として出力するステップとを含む、方法である。
また、この発明にかかる歯色を時系列表示するためのプログラムは、請求項９に記載の方法をコンピュータに実行させるためのプログラムである。
さらにまた、この発明にかかる歯色を時系列表示するためのプログラムを記録したコンピュータ読み取り可能な記録媒体は、請求項９に記載の方法をコンピュータに実行させるための歯色を時系列表示するためのプログラムを記録したコンピュータ読み取り可能な記録媒体である。
【発明の効果】
【０００７】
この発明の歯色の時系列表示装置では、画像データを補正する際に基準となる色を表示するための色基準部材が、歯科用開口器と一体化することで、撮影用開口器が形成され、色を識別すべき患者の歯と患者に装着された該撮影用開口器を単一の画像内に写し込んだ画像データを利用して画像データにおける全体の色補正ができることから、異なる環境により撮影された複数の画像データの比較が可能となり、患者の歯に行った審美治療の効果の経過観察について画像データを用いることにより効果的に提示することができる。
また、この発明の歯色の時系列表示装置では、色基準部材を形成した撮影用開口器を装着した状態の画像データさえ取得すれば、撮影場所や環境に大きく左右されることなく、すべての画像データ間で歯色の色彩情報データである色信号値を比較することができる。
また、この発明の歯色の時系列表示装置では、撮影用開口器において、色基準部材が、患者の歯の近傍に形成されれば、画像データにおける全体の色補正の精度を向上させることができる。
さらに、患者の歯に行った審美治療の効果の経過観察を視覚的に提示することができ、さらに、審美治療の効果を治療改善幅として数値により客観的に提示することができる。
【０００８】
この発明の上述の目的、その他の目的、特徴および利点は、図面を参照して行う以下の発明を実施するための形態の説明から一層明らかとなろう。
【図面の簡単な説明】
【０００９】
【図１】この発明にかかる歯色の時系列表示システムが備える歯色の時系列表示装置において使用される撮影用開口器の一例の斜視図である。
【図２】この発明にかかる撮影用開口器を患者が装着した状態を示す正面図である。
【図３】この発明にかかる撮影用開口器を患者が装着した状態を示す側面図である。
【図４】この発明にかかる歯色の時系列表示システムの一実施形態を示す図解図である。
【図５】この発明にかかる歯色の時系列表示システムが備える歯色の時系列表示装置のハードウェアの構成例を示すブロック図である。
【図６】この発明にかかる歯色の時系列表示システムが備える歯色の時系列表示装置における記憶装置に記憶されている各種アプリケーション等の処理手段記憶部およびデータベース部の構成を示すブロック図である。
【図７】この発明にかかる歯色の時系列表示システムが備える歯色の時系列表示装置における撮影装置の構成を示すブロック図である。
【図８】この発明にかかる歯色の時系列表示システムが備える患者用端末のハードウェアの構成例を示すブロック図である。
【図９】この発明にかかる歯色の時系列表示システムが備える歯色の時系列表示装置における処理動作を示すフローチャートである。
【図１０】患者の歯と色基準部材を備えた撮影用開口器とを単一の画像内に写し込んだ画像データの一実施例を示す説明図である。
【図１１】この発明にかかる歯色の時系列表示システムが備える歯色の時系列表示装置における出力装置に表示された画面の一実施例を示す説明図である。
【発明を実施するための形態】
【００１０】
本発明にかかる歯色の時系列表示装置は、審美治療された患者の歯の画像を時系列に表示する事で、歯色の変化を視覚的に提示する装置である。最初に、図１において、本実施形態にかかる歯色の時系列表示装置において使用される撮影用開口器１００について説明する。
【００１１】
図１は、この発明にかかる歯色の時系列表示装置において使用される撮影用開口器１００の一例の斜視図である。この撮影用開口器１００は、開口器本体部１１０と色基準部材たる色基準プレート１２０とから構成される。また、図２は、この発明にかかる撮影用開口器１００を患者が装着した状態を示す正面図であり、図３は、この発明にかかる撮影用開口器１００を患者が装着した状態を示す側面図である。
【００１２】
開口器本体部１１０は、開口器本体部１１０は、患者の口唇両側の口角に掛けて使用し、上顎と下顎を閉じた状態で歯並びを露出させた状態にするための器具であり、例えば、金属製やプラスチック製により形成される。開口器本体部１１０は、口唇の左内側に掛けるための左口角拡開部１１２、口唇の右内側に掛けるための右口角拡開部１１４および口唇を開いて上下の歯を露出させることができるように前記左口角拡開部１１２と前記右口角拡開部１１４とを連結する連結部１１６から構成される。
左口角拡開部１１２および右口角拡開部１１４は、左右対称に形成され、上唇と下唇との左右の境界部分から、上唇側にのびる上側領域と下唇側にのびる下側領域とを備える断面略Ｕ字型である。右口角拡開部１１２は、口唇において上歯茎から下歯茎に至る長さを備え、口唇の外側において掛けられる外側領域１１２ａと、口唇において上歯茎から下歯茎に至る長さを備え、口唇の内側において掛けられる内側領域１１２ｂとが、断面略Ｕ字形に連結され、拡開された口唇の右側内側の形状に沿って左側に突き出る正面視略Ｕ字型に構成されている。また、右口角拡開部１１４は、口唇において上歯茎から下歯茎に至る長さを備え、口唇の外側において掛けられる外側領域１１４ａと、口唇において上歯茎から下歯茎に至る長さを備え、口唇の内側において掛けられる内側領域１１４ｂとが、断面略Ｕ字型に構成されている。
左口角拡開部１１２および右口角拡開部１１４の下端には、下方に向けて突き出る略Ｕ字型に湾曲した形状を有している連結部１１６がそれぞれ連結されている。連結部１１６は、左端が左口角拡開部１１２の下端に連結され、かつ右端が右口角拡開部１１４に連結されて、曲げ弾性が発揮し得る状態にある。すなわち、連結部１１６による外側方向の弾性力により口腔内を露出させることができる。
【００１３】
色基準プレート１２０は、補正値算出手段２２２ｂにおいて画像データを補正する際に用いられる色彩情報データである色信号値の基準として使用される。色基準プレート１２０は、開口器本体部１１０における連結部１１６の口外側面１１８の所定の位置に接着剤等により接着されて形成される。色基準プレート１２０は、例えば、略矩形の板状に形成される。色基準プレート１２０は、例えば、厚紙により形成されたプレートにモノクロ情報（無彩色）を有するグレーカードにより形成される。また、図３に示すように、色基準プレート１２０は、患者の歯から近い下唇付近の位置に形成される。さらに色基準プレート１２０は、患者の前歯と略同一平面上に形成される。この結果、照明手段３２０により被写体である患者の歯及び色基準プレート１２０に照明を照らしながら、撮影手段３１０により正面より撮影することで、患者の歯と色基準プレート１２０との撮影環境を略同一にすることができる。
色基準プレート１２０の色彩情報データである色信号値は、後述するデータベース部２２４における色彩情報データ記憶部２２４ｃに予め記憶されている。この色彩情報データは、例えば、色度値、分光特性、色温度などであり、具体的には、ＲＧＢ値、Ｌ＊ａ＊ｂ＊値、ＣＭＹＫ値、ＸＹＺ値、ＬＣＨ値、分光組成、分光反射率、色温度値等である。本実施例においては、Ｌ＊ａ＊ｂ＊値により表される無彩色（グレーバランス）により行い、Ｌ0＊値、ａ0＊値、ｂ0＊値として記憶される。色空間において、Ｌ＊値は明度指数を表し、ａ＊値、ｂ＊値は色相、彩度に相当する位置を表わす。
【００１４】
図４は、本発明にかかる歯色の時系列表示システムの一実施形態を示す図解図である。図５ないし図８を参照しながら歯色の時系列表示システム１０の各ハードウェア構成等について説明する。
【００１５】
歯色の時系列表示システム１０は、患者に対して歯色の変化を視覚的に提示するための歯色の時系列表示装置２００、撮影用開口器１００を装着した患者を撮影するための撮影装置３００、自宅等において撮影された画像データを歯色の時系列表示装置２００に送信するための患者用端末４００および携帯端末５００を含む。そして、歯色の時系列表示装置２００、患者用端末４００および携帯端末５００がネットワーク６００を介して接続される。
【００１６】
本発明にかかる歯色の時系列表示装置２００は、審美治療が行われた患者の歯の画像を時系列に表示することで、患者に対して歯色の変化を視覚的に提示することを目的とする装置である。図５は、この発明にかかる歯色の時系列表示装置２００のハードウェアの構成例を示すブロック図である。
【００１７】
歯色の時系列表示装置２００は、該装置において各演算処理を行うために制御するためのＣＰＵ（Ｃｅｎｔｒａｌ  Ｐｒｏｃｅｓｓｉｎｇ  Ｕｎｉｔ：中央演算処理装置）２１０、ＣＰＵ２１０により演算されるアプリケーション等である手段や画像データ等を保存するためのデータベースを記憶している記憶装置２２０、各演算処理を実行するときに使用するアプリケーション等である手段やデータを一時的に格納するためのＲＡＭ（Ｒａｎｄｏｍ  Ａｃｃｅｓｓ  Ｍｅｍｏｒｙ）２３０を備える。また、記憶装置２２０に各アプリケーションプログラム等を有しない場合のために、各アプリケーションプログラムを記憶しているＲＯＭ（Ｒｅａｄ  Ｏｎｌｙ  Ｍｅｍｏｒｙ）２４０等を備える。
【００１８】
図６は、記憶装置２２０に記憶されている各種アプリケーション等の処理手段記憶部２２２およびデータベース部２２４の構成を示すブロック図である。歯色の時系列表示装置２００における記憶装置２２０は、処理手段記憶部２２２およびデータベース部２２４を含む。
【００１９】
処理手段記憶部２２２には、ＣＰＵ２１０により制御されるアプリケーション等の各処理を行うための手段が記憶されており、色彩情報データ特定手段２２２ａ、補正値算出手段２２２ｂおよび画像データ補正手段２２２ｃを含む。
【００２０】
色彩情報データ特定手段２２２ａは、画像データから色彩情報データである色信号値を数値化して取得する処理を行うための手段である。なお、この画像データには、色を識別すべき患者の歯と患者に装着された色基準プレート１２０を備える撮影用開口器１００とが単一の画像内に写し込まれている。
色彩情報データ特定手段２２２ａは、入力装置２７２を用いることにより、出力装置２６２に表示されている画像データ上で特定された領域の色彩を分析し、色彩情報データとして数値化する機能を有する。この色彩情報データは、例えば、ＲＧＢ値で示される表色系のような色空間において色を特定するための数値や座標により表わされ、コンピュータの演算処理に適した色信号値である。すなわち、色彩情報データは、例えば、色度値、分光特性、色温度などであり、具体的には、ＲＧＢ値、Ｌ＊ａ＊ｂ＊値、ＣＭＹＫ値、ＸＹＺ値、ＬＣＨ値、分光組成、分光反射率、色温度値等である。
特定された領域とは、出力装置２６２に表示される画像データ内における色基準プレート１２０に該当する領域や患者の歯に該当する領域である。
色基準プレート１２０に該当する領域での色彩情報データである色信号値は、色彩情報データ記憶部２２４ｃに記憶される既定の色彩情報データである色信号値とともに使用することで、補正値算出手段２２２ｂにおいて画像の補正値を算出するために用いられる。
また、画像データ補正手段２２２ｃにより補正された患者の歯に該当する領域における色彩情報データである色信号値は、審美治療を行った効果やその時系列変化を確認するために用いられる。
【００２１】
色彩情報データ特定手段２２２ａによる画像上での領域の特定方法としては、例えば、入力装置２７２であるマウスにより出力装置２６２に表示される画像上にマウスカーソルを移動させて所定のポイントをクリックするか、またはマウスカーソルを利用して形成された矩形の枠として領域を特定する等によって行われる。ここで、色彩情報データである色信号値は、特定された領域（例えば、３×３ピクセルや５×５ピクセル等により表わされた矩形の領域）の平均値として求めても良い。また、特定された領域を上述のように２ピクセル以上指定するときは、その特定の領域のばらつき度合いを算出し、ばらつき度合いが所定の値より大きければ、その平均値は使用しないようにしてもよい。ここで、ばらつき度合いは、その特定された領域における分散値、標準偏差、最大値と最小値との差、ラプラシアン等が利用される。これにより、色彩情報データとして安定した領域のデータを取得することができ、画像上において色彩情報として一様な領域の色彩情報データである色信号値を取得することができる。
色彩情報データは、例えば、色度値、分光特性、色温度などであり、具体的には、ＲＧＢ値、Ｌ＊ａ＊ｂ＊値、ＣＭＹＫ値、ＸＹＺ値、ＬＣＨ値、分光組成、分光反射率、色温度値等であってもよい。しかしながら、少なくとも、色彩情報データ記憶部２２４ｃに記憶されている色基準プレート１２０の色彩情報データと同一の色彩情報データである必要がある。本実施例においては、Ｌ＊ａ＊ｂ＊値が利用される。
【００２２】
補正値算出手段２２２ｂは、画像データの色調を補正するために必要な補正値を算出する処理を行うための手段である。
補正値算出手段２２２ｂは、色彩情報データ特定手段２２２ａにより得られた色基準プレート１２０に該当する領域の色彩情報データである色信号値と色彩情報データ記憶部２２４ｃに記憶されている色基準プレート１２０の色彩情報データである色信号値との差を補正値として求める機能を有する。
補正値は、色彩情報データ特定手段２２２ａにより取得された色基準プレート１２０に該当する領域の色彩情報データである色信号値のＬ＊値、ａ＊値、ｂ＊値と、色彩情報データ記憶部２２４ｃに記憶されている色基準プレート１２０の色彩情報データである色信号値のＬ0＊値、ａ0＊値、ｂ0＊値との差から、Ｌd＊値、ａd＊値、ｂd＊値として算出される。
【００２３】
画像データ補正手段２２２ｃは、算出された補正値に基づいて画像データの補正する処理を行うための手段である。画像データ補正手段２２２ｃは、補正値算出手段２２２ｂにより算出された補正値に基づいて、画像データ全体を補正する機能を有する。補正値算出手段２２２ｂにおいて補正値として算出されたＬd＊値、ａd＊値、ｂd＊値を用いて、画像全体の色が補正される。
【００２４】
また、データベース部２２４は、患者情報記憶部２２４ａ、画像データ記憶部２２４ｂおよび色彩情報データ記憶部２２４ｃを含む。
【００２５】
患者情報記憶部２２４ａは、患者情報データを記憶するデータベースである。
患者情報データは、患者のカルテＮｏ．、患者名、診察日、担当医等により構成されたデータである。この患者情報データは、画像データを管理する以外にも、患者用端末４００や携帯端末５００から画像データを受信する際に行う認証にも利用される。
【００２６】
画像データ記憶部２２４ｂは、患者の歯と色基準プレート１２０を備えた撮影用開口器１００とを単一の画像内に写し込んだ画像データを記憶するデータベースである。画像データは、患者毎に、患者情報データと関連付けて、画像補正前と画像補正後の画像データが時系列に記憶される。また、画像データを補正する際には、ＲＡＷ画像データが用いられる。
なお、画像データの別の保存形式としては、ＴＩＦＦ、ＧＩＦ、ＪＰＥＧ、ＢＭＰ等の汎用画像フォーマットの他独自の画像フォーマットが用いられる。なお、本実施例においては、例えば、ＪＰＥＧやＴＩＦＦ形式の画像フォーマットが使用される。
【００２７】
色彩情報データ記憶部２２４ｃは、補正算出手段２２２ｂにおいて画像を補正するための基準となる既定の色彩情報データである色信号値を記憶するためのデータベースである。
色彩情報データは、例えば、色度値、分光特性、色温度などであり、具体的には、ＲＧＢ値、Ｌ＊ａ＊ｂ＊値、ＣＭＹＫ値、ＸＹＺ値、ＬＣＨ値、分光組成、分光反射率、色温度値等であってもよい。本実施例においては、色基準プレート１２０における既定の色彩情報データである色信号値のＬ0＊値、ａ0＊値、ｂ0＊値が記憶されている。
【００２８】
また、歯色の時系列表示装置２００は、患者用端末４００または携帯端末５００との通信を行うためのネットワーク接続部２５０を備える。ネットワーク接続部２５０としては、ＬＡＮカード、モデムやターミナルアダプタ等が用いられ、歯色の時系列表示装置２００は、ネットワーク６００と接続される。ネットワーク接続部２５０は、患者用端末４００や携帯端末５００から送信される画像データを受信するために使用される。
【００２９】
さらに、歯色の時系列表示装置２００は、各アプリケーション等の手段により実行された結果等を出力するための画像処理部２６０を備える。画像処理部２６０は、ＣＰＵ２１０の演算処理の結果に基づいて画像データを生成するものである。画像処理部２６０には、ディスプレイ等の出力装置２６２が接続されている。出力装置２６２は、画像処理部２６０で生成された画像データに基づいて画面を表示する。
出力装置２６２は、色彩情報データ特定手段２２２ａによって、色彩情報データである色信号値を取得するための画面を表示する。また、出力装置２６２は、時系列に患者の歯の画像データの画面表示を行う機能を有する。
【００３０】
また、歯色の時系列表示装置２００は、後述する入力装置２７２を接続するためのインターフェースである入力部２７０を備える。入力部２７０は、入力装置２７２から入力された各種の指示信号や各種データをＣＰＵ２１０に入力する。入力部２７０には入力装置２７２が接続されている。入力装置２７２は、例えば、キーボード、マウス等が使用される。
入力装置２７２は、患者情報データの入力等に使用される。また、入力装置２７２は、出力装置２６２に表示される画像データ上で、色彩情報データである色信号値を取得するために特定される領域を指示するために使用される。
【００３１】
さらに、歯色の時系列表示装置２００は、撮影装置３００により撮影された画像データを歯色の時系列表示装置２００におけるデータベース部２２４の画像データ記憶部２２４ｂに取り込むための画像データ入力部２８０を備える。
【００３２】
図７は、撮影装置３００の構成を示すブロック図である。撮影装置３００は、撮影手段３１０と照明手段３２０とから構成される。
撮影手段３１０は、例えば、デジタルカメラ等が用いられる。撮影手段３１０は、患者の歯に撮影用開口器１００を装着した状態で撮影するために使用される。撮影手段３１０に記憶された画像データは、歯色の時系列表示装置２００に転送することにより、画像データ入力部２８０を介してデータベース部２２４の画像データ記憶部２２４ｂに記憶される。
また、照明手段３２０は、患者が撮影用開口器１００を装着した状態を撮影する際に、一定の撮影環境を提供するために使用される。照明手段３２０は、患者の歯の撮影の際に、照明手段３２０に設けられる閃光装置の閃光を拡散することにより、被写体である患者の歯に対して、その閃光が、一様に照射できるようにするために用いられる。
【００３３】
患者用端末４００は、例えばパーソナルコンピュータを用いて構成される。図８は、この発明にかかる患者用端末４００のハードウェアの構成例を示すブロック図である。患者用端末４００は、例えば、患者の自宅等に設置され、本発明にかかる撮影用開口器１００を装着した状態で自らを撮影し、その撮影された画像データを歯色の時系列表示装置２００に送信するための端末である。患者用端末４００は、該端末において各種処理を行うときの演算処理を行うために制御するためのＣＰＵ４１０、ＣＰＵ４１０により演算されるアプリケーション等である手段や画像データを記憶している記憶装置４２０、各演算処理を実行するときに使用するアプリケーション等である手段やデータを一時的に格納するためのＲＡＭ４３０を備える。また、記憶装置４２０に各アプリケーションプログラム等を有しない場合のために、各アプリケーションプログラムを記憶しているＲＯＭ４４０等を備える。
【００３４】
また、患者用端末４００は、歯色の時系列表示装置２００との通信を行うためのネットワーク接続部４５０を備える。ネットワーク接続部４５０としては、ＬＡＮカード、モデムやターミナルアダプタ等が用いられる。これにより、患者用端末４００は、ネットワーク６００と接続される。
【００３５】
さらに、患者用端末４００は、画像データ等を出力するための処理を行う画像処理部４５０を備える。画像処理部４６０には、ディスプレイ等の出力装置４６２が接続されている。出力装置４６２は、画像処理部４６０で生成された画像データに基づいて画面を表示する。
【００３６】
また、患者用端末４００は、後述する入力装置４７２を接続するためのインターフェースである入力部４７０を備える。入力部４７０は、入力装置４７２から入力された各種の指示信号や各種データをＣＰＵ４１０に入力する。入力部４７０には入力装置４７２が接続されている。入力装置４７２は、例えば、キーボード、マウス等が使用される。患者情報データの入力等に使用される。入力装置４７２は、患者による患者情報データの入力等に使用される。
【００３７】
さらに、患者用端末４００は、撮影手段４９０により撮影された画像データを患者用端末４００の記憶装置４２０に取り込むための画像データ入力部４８０を備える。取り込まれた画像データは、記憶装置４２０に記憶される。
【００３８】
患者用端末４００の記憶装置４２０には、ブラウザと、歯色の時系列表示装置２００に画像データを送信するためのソフトウェアがあらかじめインストールされている。図１には、１つの患者用端末４００しか示していないが、実際には多数の患者用端末４００がネットワーク６００を介して歯色の時系列表示装置２００に接続される。したがって、例えば、自宅に設置されている患者用端末４００に保存されている画像データを歯色の時系列表示装置２００に送信し、記憶することができる。その結果、患者は、患者の歯を撮影するために歯色の時系列表示装置２００が設置されている場所まで移動する必要はなく、歯色の時系列表示装置２００は、容易に時系列の画像データを収集することができる。
【００３９】
携帯端末５００は、例えば、携帯電話等により構成され、画像データを取得する撮影手段もあらかじめ備えられている。また、携帯端末５００において取得された画像データを歯色の時系列表示装置２００に送信し、直接記憶させることもできる。したがって、携帯端末５００により撮影用開口器１００を装着して自ら撮影した画像データを取得し、その画像データを歯色の時系列表示装置２００に送信することで、容易に歯色の時系列表示装置２００は、時系列の画像データを収集することができる。
【００４０】
次に、本実施形態における歯色の時系列表示システム１０の動作について説明する。
患者の歯を撮影する際に、審美治療を行った患者に対して、この発明にかかる撮影用開口器１００を装着した状態で、被写体である患者の歯及び色基準プレート１２０を備えた撮影用開口器１００を、照明手段３２０を用いて撮影手段３１０により撮影が行われる。その結果、色を識別すべき患者の歯と画像を補正する際に基準となる色を表示するための色基準プレート１２０と一体に形成される撮影用開口器１００とが単一の画像内に写し込まれた画像データが取得される。このとき、画像データはＲＡＷ画像データとして取得される。
また、初期準備として、データベース部２２４の患者情報記憶部２２４ａには、各患者の患者情報データが記憶されており、画像データ記憶部２２４ｂには、患者情報データに関連付けて、患者の歯と色基準プレート１２０を備えた撮影用開口器１００とを単一の画像内に写し込んだ画像データが記憶される。すなわち、画像データ記憶部２２４ｂには、患者が撮影用開口器１００を装着した状態における画像データが記憶されている。
また、色基準プレート１２０の既定の色彩情報データである色信号値のＬ0＊値、ａ0＊値、ｂ0＊値が、色彩情報データ記憶部２２４ｃに記憶されている。
【００４１】
患者の歯と色基準プレート１２０を備えた撮影用開口器１００とを単一の画像内に写し込んだ画像データは、撮影装置３００により撮影された画像データを、画像データ入力部２８０を介して画像データ記憶部２２４ｂに記憶される。このとき、撮影装置３００と歯色の時系列表示装置２００とを直接ケーブルで繋ぐことにより画像データを記憶させるようにしてもよいし、リムーバブルタイプの記憶媒体を介して記憶させるようにしてもよい。また、例えば、自宅で撮影した画像データを患者用端末４００からネットワーク６００を介して画像データ記憶部２２４ｂに記憶するようにしてもよいし、携帯端末５００によって撮影された画像データを、ネットワーク６００を介して画像データ記憶部２２４ｂに記憶するようにしてもよい。
【００４２】
図９は、歯色の時系列表示システム１０における処理を示すフローチャート図である。
まず、歯色の時系列表示装置２００は、所定の患者の撮影用開口器１００を装着した状態を撮影した画像データを画像データ記憶部２２４ｂから読み出す（ステップＳ１００）。そして、読み出された画像データを出力装置２６２に表示する（ステップＳ１０２）。
【００４３】
図１０は、患者の歯と色基準プレート１２０を備えた撮影用開口器１００とを単一の画像内に写し込んだ画像データ７００の一実施例を示す説明図である。色彩情報データ特定手段２２２ａは、表示されている複数の画像データのうち、画像データの色補正を行う画像を選択し、その画像データに表示されている色基準プレート１２０に該当する部分の色彩情報データである色信号値のＬ＊値、ａ＊値、ｂ＊値を取得する（ステップＳ１０４）。図１０に示すように、この画像データ上において、色基準プレート１２０に該当する特定領域７１０をマウスカーソル等によりクリックし特定することで、この部分の色彩情報データである色信号値を取得することができる。
【００４４】
続いて、補正値算出手段２２２ｂは、色基準プレート１２０の既定の色彩情報データである色信号値のＬ0＊値、ａ0＊値、ｂ0＊値を色彩情報データ記憶部２２４ｃから読み出す（ステップＳ１０６）。補正値算出手段２２２ｂは、ステップＳ１０４で取得されたＬ＊値、ａ＊値、ｂ＊値とステップＳ１０６で読み出された色基準プレート１２０の既定の色彩情報データである色信号値のＬ0＊値、ａ0＊値、ｂ0＊値との差から、補正値であるＬd＊値、ａd＊値、ｂd＊値を算出する（ステップＳ１０８）。そして、画像データ補正手段２２２ｃは、ステップＳ１０８において算出された補正値に基づいて画像データの画像全体の色を補正する（ステップＳ１１０）。補正された画像データを画像データ記憶部２２４ｂに記憶する（ステップＳ１１２）。このとき、補正された画像データは、補正前の画像データとは別のデータとして新たに記憶される。このとき、よりファイルサイズが小さく汎用性の高いＪＰＥＧ形式や画像劣化のないＴＩＦＦに変換して記憶するようにしてもよい。ステップＳ１０４からステップＳ１１２の処理が、表示されている全ての画像データに対して行われる（ステップＳ１１４）。表示されている全ての画像データに対して画像データの補正の処理を行うと、続いて、それら複数の画像データを時系列に並べて表示する（ステップ１１６）。
【００４５】
図１１は、出力装置２６２に表示される補正後の画像データの時系列表示画面の表示方法を示す一実施例を示す。この画面には、患者の歯に対して行われた審美治療の改善幅等が色評価基準として時系列に表示される。補正後の画像データは、図１１に示すように、主表示部７２０に分割画面として並べられて表示される。各画像データは、主表示部７２０において、左上、右上、左下、右下の順に時系列に並んで表示される。また、図１１の右端の副表示部７３０には、患者の複数の画像データが、縮小された状態（サムネイル）で表示される。さらに、図１１の左端上段においては、指定された領域の拡大画像を表示する拡大画像表示部７４０を備える。この拡大画面表示部７４０により、歯の症状を明確に把握することができる。また、図１１の左端中段においては、露出／色味補正するための色温度、色味および露出を示す露出／色味補正部７５０を備え、図１１の左端下段においては、画像のファイル形式、画像のプロファイルおよび保存先のフォルダを表示する現像領域説明部７６０を備える。
【００４６】
患者の歯の色彩情報データである色信号値を取得するときは、画像データ上の、例えば、患者の歯に該当する特定領域７７０をマウスカーソル等により特定することで、色彩情報データである色信号値を取得することができる。なお、この患者の歯に該当する特定領域７７０の色彩情報データである色信号値の取得は、画像データの全体の色の補正後に行われる。
【００４７】
図１１に示す表示画面には、それぞれ表示されている画像データ上でマウスカーソル等により特定された患者の歯に該当する領域における左上の画像データの色彩情報データである色信号値を初期値として、各画像データの色彩情報データである色信号値との差に基づき、治療改善幅のΔＥとＬ＊値、ａ＊値、ｂ＊値の各値の変化量であるΔＬ＊値、Δａ＊値、Δｂ＊値として、治療効果表示部７８０において表示される。例えば、左上の画像データにおける患者の歯の色彩情報データである色信号値の初期値が、Ｌ1＊値、ａ1＊値、ｂ1＊値であって、右上の画像データにおける患者の歯の色彩情報データである色信号値が、Ｌ2＊値、ａ2＊値、ｂ2＊値である場合、ΔＥおよびΔＬ＊値、Δａ＊値、Δｂ＊値は、以下の式で求められる。
ΔＬ＊＝Ｌ1＊−Ｌ2＊
Δａ＊＝ａ1＊−ａ2＊
Δｂ＊＝ｂ1＊−ｂ2＊
ΔＥ＝√（ΔＬ＊2＋Δａ＊2＋Δｂ＊2）
【００４８】
治療改善幅は、左下の画像データおよび右下の画像データに対しても上記計算方法と同様に計算され、それぞれの計算結果が表示される。図１１よると、ΔＥの数値は、ΔＥ＝１．４、ΔＥ＝３．１、ΔＥ＝４．８と変化しており、審美治療の効果が数値として提示されている。ここで、ΔＥの数値が大きいほど、色調の違いが大きいことを表しており、結果、審美治療を行った効果が大きいことを表わしている。なお、この色彩情報データである色信号値のＬ＊値、ａ＊値、ｂ＊値を求めるに際しては、Ｌ＊値、ａ＊値、ｂ＊値のそれぞれを特定された領域（例えば、３×３ピクセルや５×５ピクセル等により表わされた矩形の領域）における平均値として求めても良い。
【００４９】
本発明にかかる歯色の時系列表示装置２００によれば、患者の歯に行った審美治療の効果の経過観察を視覚的に提示することができる。また、本発明にかかる歯色の時系列表示装置２００によれば、審美治療の効果を治療改善幅として数値により客観的に提示することができる。
さらに、審美治療後も、例えば、定期的に継続して画像を取得した上で時系列に保存し、治療改善幅を数値化したものを提示する事で、その治療改善幅の数値に基づき、再度審美治療を行う必要があること等の助言を行うことができる。
【００５０】
さらに、本発明にかかる歯色の時系列表示装置２００に使用する撮影用開口器１００を準備し、それを装着して撮影された画像データさえあれば、撮影場所や環境に大きく左右されることなく、すべての画像データ間で歯色の色彩情報データである色信号値を比較することができる。
【００５１】
なお、本実施例においては、色彩情報データ特定手段２２２ａにおいて、色基準プレート１２０に該当する領域を、画像の上下方向、また、左右方向の長さに対応する長さに配置させるようにすることで、画像の上下方向および左右方向における画像の色調の傾きの補正を行うことができるようにしてもよい。色基準プレート１２０は、患者の左耳から右耳までの範囲であれば、いずれに形成されるようにしてもよく、患者の鼻橋から顎の下端近傍までの範囲であれば、いずれに形成されるようにしてもよい。また、色基準プレート１２０は、左口角拡開部１１２の外側領域１１２ａにおける口外側面１１８と右口角拡開部１１４の外側領域１１４ａにおける口外側面１１８の２箇所に形成されていてもよく、さらに、色基準プレート１２０は、開口器本体部１１０における口外側面１１８であれば、いずれに形成されていてもよい。以上のように、撮影用開口器１００において、色基準プレート１２０が、患者の歯の近傍に形成されることで、画像データにおける全体の色補正の精度を向上させることができる。
【００５２】
また、本実施例においては、時系列に表示された画像データをプリントアウトできるように、さらに印刷手段を備える事で、患者に対して行った審美治療の治療経過を紙媒体により患者名、診察日、担当医名を表示させて提供することができるようにしてもよい。
【００５３】
さらに、図１１における時系列表示画面の主表示部７２０には、４分割された複数の時系列に並べられた画像データを表示しているが、これに限られることはなく１画像表示、縦２分割表示、横２分割表示、を任意に指定できるようにしてもよい。
また、撮影時にカメラが傾いている状態で撮影されたために、画像データ内の被写体である患者の歯等が傾いて写し込まれていた場合であっても対処できるように、画像データの角度調整ができるようにしてもよい。また、画像データを表示する際に、不要な部分を省いて表示できるようにしてもよい。
【００５４】
さらにまた、画像データ内において、色基準プレート１２０の色彩情報データの色信号値を取得する際に、画像データ内における色基準プレート１２０の表示場所を所定の範囲にあらかじめ定めておく事で、その定められた所定の範囲の座標における色彩情報データの色信号値であるＬ＊値、ａ＊値、ｂ＊値を取得するようにしてもよい。また、画像データ内において、色基準プレート１２０の色彩情報データの色信号値から所定の範囲内の色彩情報データの色信号値であるＬ＊値、ａ＊値、ｂ＊値を取得するようにしてもよい。そうすることで、補正値算出手段２２２ｂは、前述したそれぞれの方法により取得した色信号値を画像データ内における色基準プレート１２０の色彩情報データである色信号値とみなして、画像データの全体の色の補正を行うことができる。
【００５５】
また、色基準プレート１２０の表面には、そのプレートに付された色彩基準となるモノクロ情報の劣化を防止するためにコーティング等を施しておいてもよい。
【００５６】
また、この発明は、上述した実施例に限定されるものではなく、実施の形態で述べた構成に新たな構成要素を追加したり、削除したり、変更等したりして種々の変形を行うことができる。
【符号の説明】
【００５７】
１０  歯色の時系列表示システム
１００  撮影用開口器
１１０  開口器本体部
１１２  左口角拡開部
１１２ａ  外側領域
１１２ｂ  内側領域
１１４  右口角拡開部
１１４ａ  外側領域
１１４ｂ  内側領域
１１６  連結部
１１８  口外側面
１２０  色基準プレート
２００  歯色の時系列表示装置
２１０、４１０  ＣＰＵ
２２０、４２０  記憶装置
２２２  処理手段記憶部
２２２ａ  色彩情報データ特定手段
２２２ｂ  補正値算出手段
２２２ｃ  画像データ補正手段
２２４  データベース部
２２４ａ  患者情報記憶部
２２４ｂ  画像データ記憶部
２２４ｃ  色彩情報データ記憶部
２３０、４３０  ＲＡＭ
２４０、４４０  ＲＯＭ
２５０、４５０  ネットワーク接続部
２６０、４６０  画像処理部
２６２、４６２  出力装置
２７０、４７０  入力部
２７２、４７２  入力装置
２８０、４８０  画像データ入力部
３００  撮影装置
３１０、４９０  撮影手段
３２０  照明手段
４００  患者用端末
５００  携帯端末
６００  ネットワーク
７００  画像データ
７１０  色基準部材に該当する特定領域
７２０  主表示部
７３０  副表示部
７４０  拡大画像表示部
７５０  露出／色味補正部
７６０  現像領域説明部
７７０  患者の歯に該当する特定領域
７８０  治療効果表示部
【図１】
2010214055.tif 000003
【図２】
2010214055.tif 000004
【図３】
2010214055.tif 000005
【図４】
2010214055.tif 000006
【図５】
2010214055.tif 000007
【図６】
2010214055.tif 000008
【図７】
2010214055.tif 000009
【図８】
2010214055.tif 000010
【図９】
2010214055.tif 000011
【図１０】
2010214055.tif 000012
【図１１】
2010214055.tif 000013